(57)【要約】【課題】蓄積している番組属性情報の制作放送局情報と任意に選択した制作放送局が一致する番組を検索することができない【解決手段】各放送局に付与した制作放送局ＩＤと各放送局名を持つ制作放送局ＩＤテーブルの各放送局名を一覧表示し、一覧表示した放送局から任意の放送局を選択し、選択した放送局の放送局ＩＤを制作放送局ＩＤテーブルより取得し、取得したＩＤと各番組の制作放送局ＩＤを含む番組属性情報を比較し一致する番組の番組情報を表示する。【選択図】図２
2005338895.tif 000002
【特許請求の範囲】
【請求項１】
各放送局に付与した制作放送局ＩＤとそれに対応して各放送局名の文字列情報を持つ制作放送局ＩＤテーブルと、制作放送局ＩＤテーブルの各放送局名の文字列情報を表示する制作放送局一覧表示手段と、制作放送局一覧表示手段で表示した放送局から任意の放送局を選択する制作放送局選択手段と、制作放送局選択手段で選択した任意の放送局に対応するＩＤを制作放送局ＩＤテーブルから取得する選択制作放送局ＩＤ取得手段と、各番組の制作放送局ＩＤを含む番組属性情報を蓄積する番組属性情報蓄積部と、選択制作放送局ＩＤ取得手段で取得した制作放送局ＩＤと番組属性情報蓄積部で蓄積された各番組の番組属性情報の制作放送局ＩＤが一致する番組を検出する選択制作放送局ＩＤと番組属性情報制作放送局ＩＤの比較手段と、選択制作放送局ＩＤと番組属性情報制作放送局ＩＤの比較手段で検出した番組の番組情報を表示する一致番組の番組属性情報表示手段とを具備することを特徴とする番組制作放送局情報による番組検索装置。
【請求項２】
各地域に付与した地域ＩＤとそれに対応した各地域の文字列情報を持つ地域ＩＤテーブルと、地域ＩＤテーブルの各地域の文字列情報を表示する地域名一覧表示手段と、地域名一覧表示手段で表示した地域名から任意の地域を選択する地域選択手段と、地域選択手段で選択した地域の地域ＩＤを地域ＩＤテーブルより取得する選択地域ＩＤ取得手段と、各放送局に付与した制作放送局ＩＤとそれに対応して各放送局名の文字列情報と放送局が所在する地域の地域ＩＤを持つ制作放送局ＩＤテーブルと、選択地域ＩＤ取得手段で取得した地域ＩＤと制作放送局ＩＤテーブルの地域ＩＤが一致する放送局名の文字列情報を表示する選択地域の制作放送局一覧表示手段とを具備することを特徴とする請求項１記載の番組制作放送局情報による番組検索装置。
【発明の詳細な説明】
【技術分野】
【０００１】
本発明は、番組毎に蓄積されている番組タイトル情報や放送時刻情報などの番組属性情報のうち番組制作放送局情報により任意の放送局が制作した番組を検索することができる番組検索装置に関するものである。
【背景技術】
【０００２】
従来、番組毎のジャンル情報を含む番組属性情報を蓄積し、蓄積した全ての番組の番組属性情報のジャンル情報を任意に選択したジャンルで検索するという装置がある（例えば、特許文献１参照）。
【特許文献１】特開平７−１６０７３２号公報
【発明の開示】
【発明が解決しようとする課題】
【０００３】
従来は、番組毎のジャンル情報を含む番組属性情報を蓄積し、蓄積した全ての番組の番組属性情報のジャンル情報を任意に選択したジャンルで検索するということは可能であったが、蓄積している番組属性情報の制作放送局情報と任意に選択した制作放送局が一致する番組を検索することができないという問題があった。
【０００４】
本発明は、番組属性情報の番組制作放送局情報により任意の放送局が制作した番組を検索することが可能な番組制作放送局情報による番組検索装置を提供することを目的とする。
【課題を解決するための手段】
【０００５】
本発明の請求項１に係る番組制作放送局情報による番組検索装置は、各放送局に付与した制作放送局ＩＤとそれに対応して各放送局名の文字列情報を持つ制作放送局ＩＤテーブルと、制作放送局ＩＤテーブルの各放送局名の文字列情報を表示する制作放送局一覧表示手段と、制作放送局一覧表示手段で表示した放送局から任意の放送局を選択する制作放送局選択手段と、制作放送局選択手段で選択した任意の放送局に対応するＩＤを制作放送局ＩＤテーブルから取得する選択制作放送局ＩＤ取得手段と、各番組の制作放送局ＩＤを含む番組属性情報を蓄積する番組属性情報蓄積部と、選択制作放送局ＩＤ取得手段で取得した制作放送局ＩＤと番組属性情報蓄積部で蓄積された各番組の番組属性情報の制作放送局ＩＤが一致する番組を検出する選択制作放送局ＩＤと番組属性情報制作放送局ＩＤの比較手段と、選択制作放送局ＩＤと番組属性情報制作放送局ＩＤの比較手段で検出した番組の番組情報を表示する一致番組の番組属性情報表示手段とを具備することを特徴とする。
【０００６】
また、本発明の請求項２に係る番組制作放送局情報による番組検索装置は、請求項１のテレビ番組制作局情報提示装置の構成において、各地域に付与した地域ＩＤとそれに対応した各地域の文字列情報を持つ地域ＩＤテーブルと、地域ＩＤテーブルの各地域の文字列情報を表示する地域名一覧表示手段と、地域名一覧表示手段で表示した地域名から任意の地域を選択する地域選択手段と、地域選択手段で選択した地域の地域ＩＤを地域ＩＤテーブルより取得する選択地域ＩＤ取得手段と、各放送局に付与した制作放送局ＩＤとそれに対応して各放送局名の文字列情報と放送局が所在する地域の地域ＩＤを持つ制作放送局ＩＤテーブルと、選択地域ＩＤ取得手段で取得した地域ＩＤと制作放送局ＩＤテーブルの地域ＩＤが一致する放送局名の文字列情報を表示する選択地域の制作放送局一覧表示手段とを具備することを特徴とする。
【発明の効果】
【０００７】
本発明により、番組属性情報の番組制作放送局情報により任意の放送局が制作した番組を検索することが可能となり、また任意の放送局を選択する過程では、まず選択したい放送局が所在する地域を選択することで、全国の多くの放送局から選択するのではなく、その地域に所在する放送局の中から選択することが可能となる。任意の放送局が制作した番組を検索することが可能になることで、例えば選択した放送局周辺地域の特有のニュースなどの情報番組やその地域を舞台としたドラマなどの番組を探し出す手段が実現できるという有効な効果がある。
【発明を実施するための最良の形態】
【０００８】
（実施の形態１）
図１は、本発明の実施の形態１に係る番組制作放送局情報による番組検索装置の構成を示すブロック図である。
【０００９】
番組毎に情報提供されている番組属性情報は番組属性情報蓄積部１０８で蓄積されている。また、各放送局に付与した制作放送局ＩＤとそれに対応して各放送局名の文字列情報は制作放送局ＩＤテーブル１００で蓄積されている。制作放送局一覧表示手段１０２は制作放送局ＩＤテーブル１００に記載されている全ての放送局の放送局名の文字列情報を表示する。制作放送局選択手段１０３で制作放送局一覧表示手段１０２で表示した放送局から任意の放送局を選択する。選択制作放送局ＩＤ取得手段１０４は制作放送局選択手段１０３で選択した放送局の制作放送局ＩＤを制作放送局ＩＤテーブル１００より取得する。番組属性情報制作放送局ＩＤ取得手段１０５は番組属性情報蓄積部１０８で蓄積した各番組の番組属性情報の制作放送局ＩＤを取得する。選択制作放送局ＩＤと番組属性情報制作放送局ＩＤの比較手段１０６は選択制作放送局ＩＤ取得手段１０４で取得した任意の制作放送局ＩＤと番組属性情報制作放送局ＩＤ取得手段１０５で取得した各番組の番組属性情報の制作放送局ＩＤの一致を検出する。一致番組の番組属性情報表示手段１０７は選択制作放送局ＩＤと番組属性情報制作放送局ＩＤの比較手段１０６で一致した番組のみの番組タイトルなどの番組属性情報を表示することで、任意の放送局が制作した番組を検索することが可能となる。
【００１０】
（実施の形態２）
図２は、本発明の実施の形態２に係る番組制作放送局情報による番組検索装置の構成を示すブロック図である。
【００１１】
番組毎に情報提供されている番組属性情報は番組属性情報蓄積部１０８で蓄積されている。各地域に付与した地域ＩＤとそれに対応した各地域の文字列情報を地域ＩＤテーブル２０９で蓄積されている。また、各放送局に付与した制作放送局ＩＤとそれに対応して各放送局名の文字列情報とその放送局が所在する地域の地域ＩＤを制作放送局ＩＤテーブル２００で蓄積されている。地域名一覧表示手段２１０は地域ＩＤテーブル２０９の全ての地域の文字列情報を表示する。地域選択手段２１１は地域名一覧表示手段２１０で表示した地域名より任意の地域を選択する。選択地域ＩＤ取得手段２１２は地域選択手段２１１で選択した地域の地域ＩＤを地域ＩＤテーブル２０９より取得する。
【００１２】
選択地域の制作放送局一覧表示手段２０２は選択地域ＩＤ取得手段２１２で取得した地域ＩＤと制作放送局ＩＤテーブル２００の地域ＩＤが同じ場合その制作放送局の文字列情報を表示する。制作放送局選択手段１０３で制作放送局一覧表示手段１０２で表示した放送局から任意の放送局を選択する。選択制作放送局ＩＤ取得手段１０４は制作放送局選択手段１０３で選択した放送局の制作放送局ＩＤを制作放送局ＩＤテーブル１００より取得する。番組属性情報制作放送局ＩＤ取得手段１０５は番組属性情報蓄積部１０８で蓄積した各番組の番組属性情報の制作放送局ＩＤを取得する。選択制作放送局ＩＤと番組属性情報制作放送局ＩＤの比較手段１０６は選択制作放送局ＩＤ取得手段１０４で取得した任意の制作放送局ＩＤと番組属性情報制作放送局ＩＤ取得手段１０５で取得した各番組の番組属性情報の制作放送局ＩＤの一致を検出する。一致番組の番組属性情報表示手段１０７は選択制作放送局ＩＤと番組属性情報制作放送局ＩＤの比較手段１０６で一致した番組のみの番組タイトルなどの番組属性情報を表示することで、任意の地域の任意の放送局が制作した番組を検索することが可能となる。
【００１３】
図３は、本発明の実施の形態２における、地域名一覧表示手段で表示した全地域より例えば近畿を選択した場合に、制作放送局ＩＤテーブルより近畿の地域ＩＤをもつ制作放送局を選択地域の制作放送局一覧表示手段で抜き出し表示する過程を示した図である。地域名一覧表示手段によって地域選択画面３２０が表示され、地域選択手段より地域選択画面３２１のように近畿が選択される。選択地域ＩＤ取得手段２１２により地域選択手段によって選択された近畿の地域ＩＤである“０ｘ０６”を取得する。選択地域の制作放送局一覧表示手段２０２により制作放送局ＩＤテーブル２００から選択地域ＩＤ取得手段２１２で取得した近畿の地域ＩＤである“０ｘ０６”を持つ制作放送局の放送局名である“ＮＨＫ総合大阪”“ＮＨＫ総合神戸”“ＮＨＫ総合京都”を抜き出し、制作放送局選択画面３２２のように表示する。以上により選択した地域である近畿の放送局の中から任意の制作放送局を選択することが可能となる。
【産業上の利用可能性】
【００１４】
本発明の番組制作放送局情報による番組検索装置は、番組属性情報の番組制作放送局情報により任意の放送局が制作した番組を検索することが可能となり、また任意の放送局を選択する過程では、まず選択したい放送局が所在する地域を選択することで、全国の多くの放送局から選択するのではなく、その地域に所在する放送局の中から選択することが可能となり、テレビ受信機やビデオデッキとして有用である。
【図面の簡単な説明】
【００１５】
【図１】本発明の実施の形態１における番組制作放送局情報による番組検索装置の構成を示すブロック図
【図２】本発明の実施の形態２における番組制作放送局情報による番組検索装置の構成を示すブロック図
【図３】本発明の実施の形態２における地域選択によりその地域の放送局を限定した制作放送局選択画面を表示する過程を示したブロック図
【符号の説明】
【００１６】
１００    制作放送局ＩＤテーブル
１０２    制作放送局一覧表示手段
１０３    制作放送局選択手段
１０４    選択制作放送局ＩＤ取得手段
１０５    番組属性情報制作放送局ＩＤ取得手段
１０６    選択制作放送局ＩＤと番組属性情報制作放送局ＩＤの比較手段
１０７    一致番組の番組属性情報表示手段
１０８    番組属性情報蓄積部
２００    制作放送局ＩＤテーブル
２０９    地域ＩＤテーブル
２１０    地域名一覧表示手段
２１１    地域選択手段
２１２    選択地域ＩＤ取得手段
３２０    地域選択画面
３２１    地域選択画面
３２２    制作放送局選択画面
【図１】
2005338895.tif 000003
【図２】
2005338895.tif 000004
【図３】
2005338895.tif 000005